(57)【要約】  【課題】  反射部材の交換等を容易化して、作業効率を向上させるランプクリップを提供する。  【解決手段】  光源を支持するランプクリップであって、基台部と、一対の足部を有し、前記一対の足部は、前記基台部両端に当該各端部を支点として傾倒可能に設けられている構成とすることにより、シャーシ等に取り付け容易、かつ取り外し容易な構成とし、ランプクリップを簡単に取り外すことで、シャーシの上に敷設された反射部材をランプクリップ取付側から交換可能とした。【選択図】  図５
2006100288.tif 000002
【特許請求の範囲】
【請求項１】
光源を支持するランプクリップであって、
基台部と、一対の足部を有し、
前記一対の足部は、前記基台部両端に当該各端部を支点として傾倒可能に設けられていることを特徴とするランプクリップ。
【請求項２】
請求項１に記載のランプクリップと、
前記一対の足部それぞれが通過可能な大きさに形成され、前記一対の足部の間隔で設けられた一対の取付孔を有する被装着板と、
を備えることを特徴とするバックライト装置。
【請求項３】
請求項２に記載のバックライト装置と、液晶パネルとを備えることを特徴とする液晶表示装置。
【発明の詳細な説明】
【技術分野】
【０００１】
本発明は、液晶表示装置等の光源として用いられるバックライト装置に関し、詳しくは光源である蛍光管をその長手方向の中間部分で蛍光管ホルダ（以降ランプクリップ）により保持する構造をしたバックライト装置に関する。
【背景技術】
【０００２】
従来の蛍光管を光源としたバックライト装置では、蛍光管が細く、また長くなると、蛍光管自体の剛性が低下するため、蛍光管の途中をランプクリップで支持する構造をしていた。
【０００３】
図８は、従来のバックライト装置におけるランプクリップの取付方法を示す断面図である。図示されたランプクリップ１は、透明または白色であって可撓性を有する材質により形成されて、基台部１ａの上面に、蛍光管６が係合される欠円形状の係合部１ｂが突設され、基台部１ａの下面の左右２箇所に、シールド板２に係合する足部１ｃ，１ｄが突設されている。足部１ｃ，１ｄには、シールド板２の係合孔２ａ，２ｂの内径よりもやや大きいやじり形状の抜止片係止部が設けられており、足部１ｃ，１ｄをその根元まで係合孔２ａ，２ｂに挿入すると、抜止片係止部が係合孔２ａ，２ｂに係合されて、ランプクリップ１がシールド板２に固定される。なお、シールド板２の上面に敷設されているのは、白色樹脂からなる反射板３であり、ランプクリップ１は反射板３をシールド板２に固定する役目もはたしている。
【０００４】
このようにして、シールド板２に取り付けられたランプクリップ１は、例えば、反射板３の交換のために取り外さなければならない場合がある。その場合は、図９のように、係合孔２ａ，２ｂの下方に係止されている足部１ｃ，１ｄの抜止片係止部を、周囲から押し縮めてから係合孔２ａ，２ｂに押し込み、足部１ｃ，１ｄを上方へ引き抜くことで、ランプクリップ１が取り外せる。なお、このような構造をした蛍光管の保持具としては、特許文献１に記載の「蛍光灯ホルダーおよびその取付構造」や、特許文献２に記載の「ランプホルダ及びバックライト装置」が知られている。
【特許文献１】特開平９−１１５３２６号公報
【特許文献２】特開２００１−２１０１２６号公報
【発明の開示】
【発明が解決しようとする課題】
【０００５】
上述したように、従来のランプクリップ１は、シールド板２に固定するために抜止片係止部が足部１ｃ，１ｄに設けられている。そのため、シールド板２からランプクリップ１を外す場合は、必ず、シールド板２の裏面側で、抜止片係止部を押し縮める作業が必要となる。
【０００６】
通常、このバックライト装置が取り付けられる液晶表示装置等では、図１０に示されるように、シールド板２の裏側に、シールド板取付金具４が取り付けられ、さらにその裏面にユニット基板５等が取り付けられる。そのため、これらの部品を組み付けた後に、ランプクリップ１を取り外す必要が生じた場合は、先に、蛍光管６を外すのと同時に、ユニット基板５およびシールド板取付金具４を順に取り外す必要があり、多くの労力を要する煩わしさがあった。
【０００７】
そこで、本発明は、シールド板に取り付けられたランプクリップをシールド板から取り外す際に、シールド板背面の部品を取り外すことなく、シールド板の前面側からの作業だけで取り外すことを可能にしたバックライト装置を提供することを目的とした。
【課題を解決するための手段】
【０００８】
上記課題を解決するために、本発明は、光源を支持するランプクリップであって、基台部と、一対の足部を有し、前記一対の足部は、前記基台部両端に当該各端部を支点として傾倒可能に設けられている構成とした。
【０００９】
また、上記ランプクリップと、前記一対の足部それぞれが通過可能な大きさに形成され、前記一対の足部の間隔で設けられた一対の取付孔を有する被装着板とを備えるバックライト装置とした。
【００１０】
そして、上記バックライト装置と、液晶パネルとを備える液晶表示装置とした。
【発明の効果】
【００１１】
本発明によれば、被装着板の背面に取り付けられている部品を取り外すことなくクリップを取り外し、被装着板上に敷設した反射部材を交換等することが可能となり、作業性が向上する。
【発明を実施するための最良の形態】
【００１２】
以下、図に基づいて本発明の実施形態を説明する。
【００１３】
図１は、本発明のバックライト装置に用いられるランプクリップの足部の外径と、シールド板および反射板に穿設された瓢箪型の取付孔の孔径を比較して示した説明図である。本発明では、ランプクリップをシールド板の前方側からの操作で着脱可能にするため、シールド板および反射板に穿設された取付孔の形状を瓢箪型にした。
【００１４】
すなわち、図１に示されるランプクリップ１１の足部１１ｃの根元の外径をｄ1とし、その先端の抜け止めの作用をする大径部大径足部分の外径をｄ2とすると、瓢箪型をした取付孔１２の大径部大径孔部１２ａの孔径Ｄ1 を外径ｄ2よりも大きくし、取付孔１２の小径部小径孔部１２ｂの孔径Ｄ2 を外径ｄ2よりも小さくしかつ外径ｄ1よりも大きくする。さらに、取付孔１２の大径部大径孔部１２ａからと小径部小径孔部１２ｂへ移行が接する括れ部分の幅を外径ｄ1 と略等しくする。なお、基台部１１ａの上面に、蛍光管（図示せず）が係合される欠円形状の係合部1１ｂが突設されている。
【００１５】
図２はランプクリップ１１の足部１１ｃが取付孔１２に装着される動作を示す斜視図である。ランプクリップ１１の足部１１ｃと取付孔１２の大きさを、図１のような関係にしたことで、ランプクリップ１１の足部１１ｃを、取付孔１２の大径部大径孔部１２ａに根元部分まで挿入してから、小径孔部１２ｂへ移行する括れ部分を通過させて小径部小径孔部１２ｂ側へ移動することで、足部１１ｃは取付孔１２から上方へ抜けることなく支持される。
【００１６】
図３はランプクリップ１１をシールド板１３および反射板１４に形成された取付孔１２に装着する手順を示す断面図である。
【００１７】
図示されたランプクリップ１１は、透明または白色であって可撓性を有する材質により形成されて、基台部１１ａの上面に、蛍光管（図示せず）が係合される欠円形状の係合部１１ｂが突設され、基台部１１ａの下面の左右２箇所に、シールド板１３および反射板１４に係合する足部１１ｃ，１１ｄが突設されている。足部１１ｃ，１１ｄの先端側には、その根元部分よりもやや太いやじり形状の抜止片係止部が設けられている。なお、図示例では、やじり形状の抜止片係止部が用いられているが、単に先端部にその根元部分よりも太い大径部大径足部を形成した形状とすることも可能である。
【００１８】
シールド板１３および反射板１４には、足部１１ｃ，１１ｄの間隔で、瓢箪型をした２個の取付孔１２Ｌ，１２Ｒが穿設されている。取付孔１２Ｌ，１２Ｒは、ともに、大径部大径孔部１２ａを右側に小径部小径孔部１２ｂを左側にした方向に配置されている。足部１１ｃ，１１ｄは、取付孔１２Ｌ，１２Ｒの右側の大径部大径孔部１２ａに上方から挿入され、足部１１ｃ，１１ｄの根元部分まで挿入されて基台部１１ａが反射板１４に当接されると、ランプクリップ１１を左方へ移動させる。足部１１ｃ，１１ｄの根元部分が、取付孔１２Ｌ，１２Ｒの移行括れ部分を通過して小径部小径孔部１２ｂ内に移動すると、足部１１ｃ，１１ｄの先端の抜止片係止部が取付孔１２Ｌ，１２Ｒの小径部小径孔部１２ｂに係合されて上方へ抜けることなく保持される。
【００１９】
その結果、ランプクリップ１１がシールド板１３に固定される。なお、シールド板１３の上面に敷設されているのは、白色樹脂からなる反射板１４であり、ランプクリップ１１は反射板１４をシールド板１３に固定する役目もはたしている。
【００２０】
図４はランプクリップ１１をシールド板１３および反射板１４に形成された取付孔１２Ｌ，１２Ｒから取り外す手順を示す断面図である。
【００２１】
シールド板１３および反射板１４に装着されているランプクリップ１１は、その足部１１ｃ，１１ｄが取付孔１２Ｌ，１２Ｒの左側の小径部小径孔部１２ｂに保持されているので、ランプクリップ１１を右側に移動させる。すると、足部１１ｃ，１１ｄの根元部分が取付孔１２Ｌ，１２Ｒの移行括れ部分を通過して大径部大径孔部１２ａ内に移動し、足部１１ｃ，１１ｄの先端の抜止片係止部と小径部小径孔部１２ｂとの係合が解除される。次に、ランプクリップ１１を上方へ持ち上げることで、足部１１ｃ，１１ｄが取付孔１２Ｌ，１２Ｒから抜け出て、ランプクリップ１１は、シールド板１３および反射板１４から取り外される。
【００２２】
図５は、本発明のバックライト装置に用いられるランプクリップの他の実施形態の動作を示す断面図である。本実施形態では、ランプクリップをシールド板の前方側からの操作で着脱を可能にするため、ランプクリップの表面側に足部の係合を解除する操作桿を設けた。
【００２３】
図示されたランプクリップ２１は、透明または白色であって可撓性を有する材質により形成されて、基台部２１ａの上面に、蛍光管（図示せず）が係合される欠円形状の係合部２１ｂが突設され、基台部２１ａの下面の左右２箇所に、シールド板２３および反射板２４に係合する足部２１ｃ，２１ｄが突設されている。足部２１ｃ，２１ｄの先端内側には、先端が尖った係止部抜止片２１ｅ，２１ｆが設けられている。足部２１ｃ，２１ｄに対向する基台部２１ａの上面側には、足部２１ｃ，２１ｄが突設される方向とは逆方向連続的に操作桿２１ｇ，２１ｈが突設されている。
【００２４】
シールド板２３および反射板２４には、足部２１ｃ，２１ｄの間隔で、係止部抜止片２１ｅ，２１ｆが通過可能な大きさをした２個の取付孔２２Ｌ，２２Ｒが穿設されている。
【００２５】
足部２１ｃ，２１ｄは、取付孔２２Ｌ，２２Ｒに対して上方から挿入され、足部２１ｃ，２１ｄの根元部分まで挿入されて基台部２１ａが反射板２４に当接されると同時に、抜止片係止部２１ｅ，２１ｆが取付孔２２Ｌ，２２Ｒを通過の下側に到達してシールド板２３裏面の取付孔２２Ｌ，２２Ｒ近傍に係合され、上方へ抜けることなく保持される。その結果、ランプクリップ２１がシールド板２３に固定される。
【００２６】
なお、シールド板２３の上面に敷設されているのは、白色樹脂からなる反射板２４であり、ランプクリップ２１は反射板２４をシールド板２３に固定する役目もはたしている。
【００２７】
図６はランプクリップ２１をシールド板２３および反射板２４に形成された取付孔２２Ｌ，２２Ｒから取り外す手順を示す断面図である。シールド板２３および反射板２４に装着されているランプクリップ２１は、その抜止片係止部２１ｅ，２１ｆがシールド板２３裏面の取付孔２２Ｌ，２２Ｒ近傍の内側の縁に係止されているので、操作桿２１ｇ，２１ｈをともに内側に押圧し傾倒させる。
【００２８】
すると、基台部２１ａを介して、操作桿２１ｇ，２１ｈとは逆方向に連続的に設けられている足部２１ｃ，２１ｄは、基台部２１ａの左右端部をが支点として下に凸に撓むのに連動して外側に開傾き、抜止片係止部２１ｅ，２１ｆとシールド板２３裏面のの取付孔２２Ｌ，２２Ｒ近傍との係合が解除される。ここで、操作桿２１ｇ，２１ｈがともに内側に傾倒された状態のまま、ランプクリップ２１を上方へ引き上げることで、ランプクリップ２１は取付孔２２Ｌ，２２Ｒから取り外される。
【００２９】
図７は、本発明に係るランプクリップを用いたバックライト装置において、反射板を取り外すために、ランプクリップの取り外す場合の手順を示す分解斜視図である。
【００３０】
本発明では、シールド板１３からランプクリップ１１を外す場合は、シールド板１３の裏面側での抜止片係止部を押し縮める作業が不要となる。そこで先ず、ランプクリップ１１から、蛍光管１５を取り外したら、シールド板１３の前面側から上記の手順で、ランプクリップ１１を抜き取る。ここで、反射板１４の取り外しが可能となる。
【００３１】
さらに、必要ならば、シールド板１３からシールド板取付金具１６を取り外すことが可能となる。この場合は、シールド板取付金具１６の背面に取り付けられているユニット基板１７を外す必要がなくなる。
【００３２】
なお、図示しないが、ランプクリップ１１の足部１１ｃ，１１ｄの大径足部分に傾斜を持たせてランプクリップ１１の移動方向の前後で基台部１１ａ裏面との間隔を変える(ランプクリップ１１の移動方向側は反射板２４とシールド板２３を合わせた厚みよりも大きく設定し、移動方向に対して後方側は反射板２４とシールド板２３を合わせた厚みより若干小さめに設定)ことで、ランプクリップ１１を固定する方向に移動した場合にシールド板
２３とより強固に固定することが可能になる。
【００３３】
また、図示しないが、他の実施形態として、シールド板に形成される取付孔の形状を、一端にランプクリップの足部の挿通が可能な幅の孔を形成し、他端にランプクリップの足部の根元部分の径よりやや狭い幅の孔を形成し、両者の径に共通して外接する直線でくり抜くことで弾丸状の取付け孔たＶ字形とすることも可能である。この場合は、一端の広い幅の部分でランプクリップの足部を挿入し、次いで、ランプクリップの足部を他端の狭い幅の部分に移動することで、足部の根元部分の左右が取付孔に挟圧されて、ランプクリップがシールド板に固定される。
【００３４】
また本実施形態として、シールド板とランプクリップの間に反射板を設ける方法にて説明したが、シールド板の表面を反射面処理することで、反射板なしの構成も可能である。
【００３５】
上述の通り、本発明は、本発明は、表面に反射板を敷設したシールド板、または表面に反射処理を施したシールド板に穿設された取付孔に、前方からランプクリップの足部を着脱自在に装着してから前記ランプクリップの先端の係合部に蛍光管を係合保持するバックライト装置において、前記前記取付孔を瓢箪型孔にして、前記ランプクリップを前記シールド板の前方からの操作により前記瓢箪型孔に着脱自在に装着したことを特徴とする。
【００３６】
また、本発明は、表面に反射板を敷設したシールド板、または表面に反射処理を施したシールド板に穿設された取付孔に、ランプクリップを装着するバックライト装置において、前記ランプクリップは前記取付孔に対して、蛍光管が配列される側から挿入した後にスライドさせて固定され、蛍光管が配列される側からスライドさせて取り外されることを特徴とする。
【００３７】
また、表面に反射板を敷設したシールド板の前方に蛍光管を保持するバックライト装置であって、前記反射板およびシールド板に穿設された取付孔に前方からランプクリップの足部を着脱自在に装着してから前記ランプクリップの先端の係合部に蛍光管を係合保持するバックライト装置において、前記ランプクリップの足部の先端側に根元部よりも太く形成された大径部と、前記反射板およびシールド板に穿設されて、前記大径部より大きい大円部と前記大径部より小さく前記根元の小径部より大きい径をした小円部とを組み合わせて形成されるとともに、前記大円部と前記小円部とが接する括れ部分の幅を前記根元の小径部と略同じかやや広くした瓢箪型孔と、を備え、前記瓢箪型孔の大円部に前方から前記ランプクリップの足部をその根元部まで挿入してから前記足部を前記括れ部分を介して小円部側に移動することにより前記ランプクリップを前記シールド板に着脱自在に装着することを特徴とする。
【００３８】
ここで、前記ランプクリップは、蛍光管を係合保持する係合部と、該係合部を支持するとともに反射板、またはシールド板の反射表面側に当接される基台部と、該基台部の下面の両端に垂設された１対の足部とから構成されることが好ましい。
【００３９】
さらに、前記足部の先端側は根元部よりも太く形成された大径足部を有し、前記反射板およびシールド板に穿設されて、前記大径足部より大きい大径孔部と前記大径足部より小さく前記根元部より大きい径をした小径孔部とを組み合わせて形成され、前記大径足部を前記大径孔部に挿入した後に前記蛍光管ホルダを前記小径孔部方向にスライドして固定することが好ましい。
【００４０】
同じく、前記足部の先端側は根元部よりも太く形成された大径足部を有し、前記反射板およびシールド板に穿設された前記取付孔は、前記大径足部より大きい大径孔部と前記根元部より小さい径をした小径孔部とを組み合わせて形成され、前記大径足部を前記大径孔部に挿入した後に前記蛍光管ホルダを前記小径孔部方向にスライドして固定することが好ましい。
【００４１】
また、本発明は、表面に反射板を敷設したシールド板、または表面に反射処理を施したシールド板に穿設された取付孔に、ランプクリップを装着するバックライト装置において、前記ランプクリップは前記取付孔に対して、蛍光管が配列される側から挿入した後に前記ランプクリップの係止部で固定され、蛍光管が配列される側から前記係止部の固定解除操作により取り外されることを特徴とする。
【００４２】
ここで、前記ランプクリップは、蛍光管を係合保持する係合部と、該係合部を支持するとともに前記反射板またはシールド板の反射の表面側に当接される基台部と、該基台部の下面の両端に垂設されて先端側に抜止片係止部が設けられた１対の足部とから構成されたバックライト装置において、前記ランプクリップを可撓性部材により形成するとともに、前記足部の抜止片を足部外周の片側のみに設け、かつ前記基台部の上面側であって前記足部の対向位置の上方に突設され、前記係止部を可動させる操作桿を設けることも可能である。
【００４３】
さらには、前記１対の足部の相対する内側の片側のみにそれぞれ前記抜止片係止部を設けておくことにより、前記ランプクリップが前記取付孔に装着されている状態で前記１対の操作桿を内側方向に互いに引き寄せるように傾倒することで、前記抜止片係止部と前記取付孔との係合を解除することも可能である。
【００４４】
そして本発明は、バックライト装置のランプクリップの取付部分に利用する以外に、ランプクリップと同様にシールド板に固定されて、バックライト装置前方に配置された拡散板が後方に撓むことを阻止する突起の取付部分にも利用可能である。
【産業上の利用可能性】
【００４５】
本発明は、液晶表示装置に用いられるバックライト装置等に利用可能である。
【図面の簡単な説明】
【００４６】
【図１】本発明のバックライト装置に用いられるランプクリップの足部の外径とシールド板および反射板に穿設された瓢箪型の取付孔の孔径を比較して示した説明図である。
【図２】ランプクリップの足部が取付孔に装着される動作を示す斜視図である。
【図３】ランプクリップをシールド板および反射板に形成された取付孔に装着する手順を示す断面図である。
【図４】ランプクリップをシールド板および反射板に形成された取付孔から取り外す手順を示す断面図である。
【図５】本発明のバックライト装置に用いられるランプクリップの他の実施形態の動作を示す断面図である。
【図６】ランプクリップをシールド板および反射板に形成された取付孔から取り外す手順を示す断面図である。
【図７】シールド板からランプクリップの取り外す場合の手順を示す分解斜視図である。
【図８】従来のランプクリップの装着方法を示す断面図である。
【図９】従来のランプクリップの取り外し方法を示す断面図である。
【図１０】従来のシールド板からランプクリップの取り外す場合の手順を示す分解斜視図である。
【図１１】バックライト装置前方に配置された拡散板が後方に撓むことを阻止する突起の取付けの図である。
【符号の説明】
【００４７】
１１  ランプクリップ
１１ａ  基台部
１１ｂ  係合部
１１ｃ，１１ｄ  足部
１２，１２Ｌ，１２Ｒ  取付孔
１２ａ  大径部大径孔部
１２ｂ  小径部小径孔部
１３  シールド板
１４  反射板
１５  蛍光管
１６  シールド板取付金具
１７  ユニット基板
２１  ランプクリップ
２１ａ  基台部
２１ｂ  係合部
２１ｃ，２１ｄ  足部
２１ｅ，２１ｆ  抜止片係止部
２１ｇ，２１ｈ  操作桿
２２Ｌ，２２Ｒ  取付孔
２３  シールド板
２４  反射板
【図１】
2006100288.tif 000003
【図２】
2006100288.tif 000004
【図３】
2006100288.tif 000005
【図４】
2006100288.tif 000006
【図５】
2006100288.tif 000007
【図６】
2006100288.tif 000008
【図７】
2006100288.tif 000009
【図８】
2006100288.tif 000010
【図９】
2006100288.tif 000011
【図１０】
2006100288.tif 000012
【図１１】
2006100288.tif 000013